(57)【特許請求の範囲】
【請求項１】
複数のＬＥＤと、各ＬＥＤの調光を行う制御部と、を有するＬＥＤ照明器具であって、
少なくとも１つのＬＥＤは、前記制御部によりフェード点灯制御され、
少なくとも１つのＬＥＤは、前記制御部により煤煙拡散点灯制御されること
を特徴とするＬＥＤ照明器具。
【請求項２】
前記フェード点灯制御されるＬＥＤは、高出力型ＬＥＤであることを特徴とする請求項１に記載のＬＥＤ照明器具。
【請求項３】
前記フェード点灯制御されるＬＥＤの数は、前記煤煙拡散点灯制御されるＬＥＤの数よりも多いことを特徴とする請求項１あるいは２に記載のＬＥＤ照明器具。
【請求項４】
風の音を採音するマイクと、該マイクが採音した風の音を電圧信号に変換して前記制御部へ出力する音信号出力処理部と、を備え、前記制御部が前記電圧信号を取得すると、該取得した電圧信号に応じて前記複数のＬＥＤの少なくとも１つを揺らぎ点灯制御することを特徴とする請求項１乃至３のいずれか１項に記載のＬＥＤ照明器具。
【請求項５】
前記複数のＬＥＤを覆う乳白色のカバー部を有するとともに、前記フェード点灯制御されるＬＥＤを該カバー部の内壁面に近づけて配置することを特徴とする請求項１乃至４のいずれか１項に記載のＬＥＤ照明器具。
【発明の詳細な説明】
【技術分野】
【０００１】
本発明は、和ろうそくの炎を再現したＬＥＤ照明器具に関する。
【背景技術】
【０００２】
近年、ＬＥＤの普及率の増加に伴い、ＬＥＤを使用した照明器具が多数出現している。そのような照明器具の中には、ＬＥＤを調光し、ろうそくの炎を模した、いわゆる電子キャンドル、ＬＥＤキャンドル等がある。
【０００３】
例えば、特許文献１に記載のセンサー内蔵型電子キャンドル（以下「センサー内蔵型電子キャンドル」と言う）は、磁石をセンサー内蔵型電子キャンドルの透孔の近傍に近づけると、本体筒部内の磁気センサーが磁石の接近を検知し、ＬＥＤが点灯されるように構成されており、あたかもマッチで火をつけたかのようにＬＥＤの点灯が開始される。また、ＬＥＤの点灯後、音センサーからの音検知信号の基準値との差または変化の大きさに応じてＬＥＤの発光パターンおよび発光強度が変化されるように構成されており、あたかもＬＥＤの明かりが風によって揺らいでいるような状態を演出することができる。さらに、透孔から強く息を吹き付けると、音センサーからの所定レベル以上の音検知信号に基づいてＬＥＤが消灯されるように構成されており、あたかも息を吹きかけて火を消したかのようにＬＥＤが消灯する。
【０００４】
このように、センサー内蔵型電子キャンドルが構成されていることから、点灯から消灯まで、あたかも、ろうそくが灯っているかのような照明効果を得ることができる。また、この他にも、本願出願時点においてインターネット上で「ＬＥＤキャンドル」を検索すると、ろうそくの炎を模したＬＥＤキャンドルが多数存在している。
【０００５】
ところで、ろうそくの炎と言っても、大別するとろうそくには、西洋ろうそくと和ろうそくがあり、一般的に和ろうそくの芯は和紙、西洋ろうそくの芯は糸であることから、炎の形、揺らぎ等に大きな差異があると言われている。具体的には、和ろうそくの芯には、和紙を棒に巻き付け蝋漬けしたものが使用されており、棒に巻きつけることによって芯の上まで空洞ができ、その空洞を通り空気が供給されることから、風がないときに炎が揺れたり、ぽんぽんと弾んだり、炎が大きくなったり小さくなったり縦揺れするといった西洋ろうそくにはない特徴が和ろうそくにはある。
【先行技術文献】
【特許文献】
【０００６】
【特許文献１】特開２００６−３５１３６０号公報
【発明の概要】
【発明が解決しようとする課題】
【０００７】
上述したとおり、和ろうそくの炎には西洋ろうそくにはない特徴があることから、仏事だけでなく、心を穏やかにする癒やしのアイテム、お部屋のインテリア等として使用されている。一方、和ろうそくは火を使うことから、火事の危険性、やけどの危険性などがあるとともに、蝋が全て溶けてしまえば消灯してしまう等の問題もある。これらの問題点を解決してくれるものは、ＬＥＤキャンドルであるが、センサー内蔵型電子キャンドルにしてもその他のＬＥＤキャンドルにしても、和ろうそくの炎を再現したものではなく、和ろうそくの炎を再現した上記問題を解決できる照明器具は存在しない。
【０００８】
本発明はこのような問題を解決するためになされたものであり、その目的とするところは、和ろうそくの炎を再現したＬＥＤ照明器具を提供することにある。
【課題を解決するための手段】
【０００９】
前記の目的を達成するため、本発明のＬＥＤ照明器具は、複数のＬＥＤと、各ＬＥＤの調光を行う制御部と、を有するＬＥＤ照明器具であって、少なくとも１つのＬＥＤは、前記制御部によりフェード点灯制御され、少なくとも１つのＬＥＤは、前記制御部により煤煙拡散点灯制御されることを特徴とする。
【００１０】
ここで、フェード点灯制御とは、ＬＥＤを、徐々に明るくなるフェードイン点灯と、徐々に暗くなるフェードアウト点灯させる制御方式を言う。このフェード点灯制御によって、和ろうそくにおける縦方向に伸びる炎を再現している。
【００１１】
また、煤煙拡散点灯制御とは、煤煙の公式（サットンの式）によってＬＥＤを乱数制御する制御方式を言う。ここで、サットンの式とは、気体状汚染物質（煤煙など）の拡散様式を示す式の１つであり、フィックの分子拡散の方程式に乱流としての統計的取り扱いを導入して得られた式である。煙突その他の排出口から出たガスや煙などは、大気中に存在するいろいろな乱流要因のために拡散を起こす。有風時のプリューム型の拡散に対しては、一般に次の式が成り立つ。
［数式］
0005743255.tif 000002
【００１２】
この煤煙拡散点灯制御によって、和ろうそくの炎の揺らぎを再現している。
【００１３】
また、前記フェード点灯制御されるＬＥＤは、高出力型ＬＥＤであってもよい。ここで、高出力型ＬＥＤとは、高輝度ＬＥＤよりも明るいＬＥＤであり、１乃至５ワットのエネルギーを消費するＬＥＤを言う。
【００１４】
また、前記フェード点灯制御されるＬＥＤの数は、前記煤煙拡散点灯制御されるＬＥＤの数よりも多くてもよい。フェード点灯制御されるＬＥＤは、主に、和ろうそくの炎の大きさを再現していることから、この数が多い方が和ろうそくの炎の大きさを再現するには好適である。
【００１５】
また、風の音を採音するマイクと、該マイクが採音した風の音を電圧信号に変換して前記制御部へ出力する音信号出力処理部と、を備え、前記制御部が前記電圧信号を取得すると、該取得した電圧信号に応じて前記複数のＬＥＤの少なくとも１つを揺らぎ点灯制御してもよい。
【００１６】
ここで、揺らぎ点灯制御とは、ろうそくの炎が風に揺らぐようにＬＥＤを発光制御することを言う。
【００１７】
また、前記複数のＬＥＤを覆う乳白色のカバー部を有するとともに、前記フェード点灯制御されるＬＥＤを該カバー部の内壁面に近づけて配置してもよい。
【００１８】
ＬＥＤをカバー部の内壁面に近づけて配置した状態で点灯すると、ＬＥＤの灯りは内壁面を均一に照らすライト、いわゆるウォールウォッシャーライトのように作用することとなる。特に、ＬＥＤが高出力型ＬＥＤの場合には、従来のＬＥＤキャンドルよりも導光時の間接光が延びたように見え、この光が延びる効果と、フェード点灯で徐々に明るくさせる効果から、和ろうそくの炎の大きさ、また、和ろうそくの特徴の一つである縦揺らぎも表現している。
【発明の効果】
【００１９】
本発明のＬＥＤ照明器具によれば、複数のＬＥＤと、各ＬＥＤの調光を行う制御部と、を有するＬＥＤ照明器具であって、少なくとも１つのＬＥＤは、前記制御部によりフェード点灯制御され、少なくとも１つのＬＥＤは、前記制御部により煤煙拡散点灯制御されるように構成した。これにより、和ろうそくの炎を再現したＬＥＤ照明器具を提供することができる。
【図面の簡単な説明】
【００２０】
【図１】（ａ）は本発明の実施の形態におけるＬＥＤキャンドルの模式図、（ｂ）はＬＥＤの配置状態を説明する模式図である。
【図２】点灯部のブロック図である。
【図３】フェード点灯制御を示すグラフである。
【図４】煤煙拡散点灯制御を示すグラフである。
【図５】フェード点灯ＬＥＤにおける揺らぎ点灯制御を示すフローチャートである。
【図６】煤煙点灯ＬＥＤにおける揺らぎ点灯制御を示すフローチャートである。
【発明を実施するための形態】
【００２１】
以下、本発明を実施するための形態について、図面を参照しながら説明する。なお、本実施形態においては、本発明のＬＥＤ照明器具をＬＥＤキャンドルとし、使用するＬＥＤの数は４つ、各ＬＥＤごとに下記回路部が設けられているものとして説明するが、これに限定されるものではない。
【００２２】
図１（ａ）には、ＬＥＤキャンドル１の模式図、（ｂ）にはＬＥＤ（フェード点灯ＬＥＤ２２１、煤煙点灯ＬＥＤ２２２）の配置状態を説明する模式図がそれぞれ図示されており、図２には、点灯部２を構成する回路のブロック図が図示されている。
【００２３】
ＬＥＤキャンドル１は、点灯部２とカバー部３からなり、カバー部３は点灯部２のＬＥＤ部２２０を覆う乳白色の樹脂製カバーである。すなわち、乳白色のカバーでＬＥＤ部２２０を覆うことにより、カバー部３の内壁面に照らされたＬＥＤ部２２０の灯りを間接的に見ることになる。これにより、ＬＥＤ部２２０の灯りがあたかもろうそくの炎であるかのように見えることとなる。
【００２４】
また、ＬＥＤ部２２０は、後述するフェード点灯制御される３つのフェード点灯ＬＥＤ２２１，２２１，２２１（以下、単に「フェード点灯ＬＥＤ２２１」と記載する）と、これら３つのフェード点灯ＬＥＤ２２１の中央に配置され、後述する煤煙拡散点灯制御される煤煙点灯ＬＥＤ２２２とからなる。
【００２５】
３つのフェード点灯ＬＥＤ２２１及び煤煙点灯ＬＥＤ２２２は、高出力型ＬＥＤからなり、各フェード点灯ＬＥＤ２２１は、カバー部３の内壁面に近づけて配置されている。このように構成したことにより、西洋ろうそくよりも炎が大きい和ろうそくの炎の揺らぎを実現させているとともに、カバー部３の内部からのフェード点灯ＬＥＤ２２１の灯りをウォールウォッシャーのように導光させることができ、より和ろうそくの炎に近い照明を再現することが可能となる。
【００２６】
次に、点灯部２の構成について図２を参照して説明する。なお、本実施形態においては、ＬＥＤ部２２０の各ＬＥＤにそれぞれ回路部２１を設けているので、図２においては、ＬＥＤを符号２２１としてフェード点灯ＬＥＤ２２１のみを図示しているが（以下、図２の説明においては、ＬＥＤ２２１として説明する）、煤煙点灯ＬＥＤ２２２における回路部２１のブロック図も同様であり、相違する点はマイコン部２１３における点灯制御の内容だけである。
【００２７】
図２に示すように、回路部２１は、電源供給部２１０、電圧調整部２１２、マイコン部２１３、増幅処理部２１４、音センサ回路２１５及びマイク２１７からなる。
【００２８】
電源供給部２１０は、商用電源をＡＣアダプタで直流電源に変換した電源であるが、例えば、１２Ｖの電池を用いることも可能であり、電源供給部２１０は、マイコン部２１３の動作のための電源、ＬＥＤ２２１、マイク２１７の電源及びＬＥＤ２２１の駆動電源を供給する。
【００２９】
また、電源供給部２１０は、電源スイッチ２１１を含んでおり、電源スイッチ２１１をオンとすれば、電源が供給され、マイコン部２１３に格納されたプログラムが動作する。
【００３０】
電圧調整部２１２は、３端子レギュレータを含み、電源供給部２１０の電源の電圧を適切な値に調整する。
【００３１】
マイコン部２１３は、ＰＩＣマイコンからなり、ＬＥＤ２２１の点灯制御プログラムを実行する。なお、点灯制御プログラムは、後述するフェード点灯制御プログラム、煤煙拡散点灯制御プログラム及び風の音による揺らぎ点灯制御プログラムの３種類である。以下においては、フェード点灯制御プログラムによる点灯制御は「フェード点灯制御」、煤煙拡散点灯制御プログラムによる点灯制御は「煤煙拡散点灯制御」、揺らぎ点灯制御プログラムによる点灯制御は「揺らぎ点灯制御」として説明する。
【００３２】
フェード点灯制御にはＰＷＭ制御を用いており、本実施形態においては、その制御パターンは３パターン用意されており、その発光パターンを示したのが図３である。
【００３３】
すなわち、図３には、縦軸をＰＷＭ制御におけるＤｕｔｙ比（％）、横軸は時間（ｍｓ）とするグラフであり、フェード点灯制御における明るさの時系列的変化が図示されている。本実施形態においては、風の音をマイク２１７で採音し、この採音された音に応じてフェード点灯ＬＥＤ２２１及び煤煙点灯ＬＥＤ２２２を点灯制御（揺らぎ点灯制御）していることから、図３には３つのグラフが図示されている。
【００３４】
具体的には、マイク２１７の受信電圧Ｖａ（Ｖ）を３つのパターン、すなわち、Ｖａ＜２．２（Ｖ）、２．２（Ｖ）≦Ｖａ＜３．５（Ｖ）、３．５（Ｖ）≦Ｖａに分類し、この３つの発光パターンをマイコン部２１３に記憶しておく。そして、マイク２１７が実際に風の音を採音した際の受信電圧の値に応じて、上記３つのパターンから選択しフェード点灯制御している。
【００３５】
ろうそくの灯りは、風が大きく炎心に作用すると炎が大きく揺らぎ、この風を採音したときのマイク２１７の受信電圧Ｖａは大きい。一方、風が弱ければ炎の揺らぎは小さく、このときのマイク２１７の受信電圧Ｖａが小さいことは経験的に知られている。
【００３６】
このことから、本実施形態においては、大きく受信電圧Ｖａを３つの範囲に分類し、この受信電圧Ｖａの大きさに応じてフェード点灯制御している。
【００３７】
煤煙拡散点灯制御においても上記と同様に、ＰＷＭ制御を用いているが、使用する乱数は、上述した煤煙の公式（サットンの式）を利用して設定している。
【００３８】
本発明においては、煤煙拡散点灯制御によってＬＥＤキャンドル２２２を点灯させることにより、和ろうそく独特の炎の揺らぎを再現している。
【００３９】
また、本実施形態においては、煤煙拡散点灯制御においても、揺らぎ点灯制御を行っている。具体的には、風の音の周波数を３つのパターン、すなわち、周波数ｆ（Ｈｚ）を１６（Ｈｚ）、５０（Ｈｚ）、７６（Ｈｚ）に分類し、この３つの発光パターンをマイコン部２１３に記憶しておく。そして、マイク２１７が実際に風の音を採音した際の周波数の値に応じて、上記３つのパターンから選択し煤煙拡散点灯制御している。この３つの発光パターンを図示したのが図４である。図４は、縦軸はＤｕｔｙ比（％）、横軸は時間（ｍｓ）とするグラフであり、煤煙拡散点灯制御における明るさの時系列的変化が図示されている。
【００４０】
すなわち、煤煙拡散点灯制御においても、上記フェード点灯制御と似たように、大きく周波数ｆを３つの範囲に分類し、この周波数ｆの大きさに応じて煤煙拡散点灯制御している。
【００４１】
増幅処理部２１４は、高出力型ＬＥＤであるＬＥＤ２２１に供給する電力を増幅させる増幅回路である。例えば、カレントミラー回路などが適用可能である。
【００４２】
音センサ回路２１５は、マイク２１７からの音信号の増幅及びノイズ除去の帯域フィルタなどを行う回路で構成し、マイク２１７で受けた音を電圧信号に変換してマイコン部２１３に出力する音信号出力処理部２１６を備える。
【００４３】
マイク２１７は、コンデンサマイクからなり、風の音を採音し音センサ回路２１５に出力する。
【００４４】
次に、図５及び６を参照して、ＬＥＤキャンドル１の動作説明を行う。
【００４５】
図５は、フェード点灯ＬＥＤ２２１における揺らぎ点灯制御の動作処理を示すフローチャートであり、電源がＯＮされると、フェード点灯ＬＥＤ２２１を、通常点灯パターンで点灯させる（Ｓ１００）。本実施形態においては、図３（ａ）に示すフェード点灯制御パターンを通常点灯パターンとして設定しているが、これに限定されるものではない。
【００４６】
次いで、マイコン部２１３は、信号読込処理、すなわち、マイク２１７及び音信号出力処理部２１６を介して出力される音信号の読込処理を行い（Ｓ１０１）、その結果、読み込みがあると（Ｓ１０２のＹＥＳ）、その音信号の解析処理を行い（Ｓ１０３）、その音信号に対応するフェード点灯制御を実行し（Ｓ１０４）、フェード点灯ＬＥＤ２２１はフェード点灯する。
【００４７】
ここで、音信号はマイク２１７の受信電圧Ｖａであり、例えば、解析処理の結果、受信電圧Ｖａが３．５（Ｖ）以上であった場合、通常点灯パターンに代えてフェード点灯ＬＥＤ２２１を図３（ｃ）に示すフェード点灯制御に切り替えて６００（ｍｓ）の間フェード点灯ＬＥＤ２２１を点灯させ、当該時間経過後、信号読込処理（Ｓ１０１）に戻る。このような処理を繰り返し行う。
【００４８】
同様に、本実施形態においては、煤煙点灯ＬＥＤ２２２においても、上記と似たような揺らぎ点灯制御を行っており、図６は、煤煙点灯ＬＥＤ２２２における揺らぎ点灯制御の動作処理を示すフローチャートである。
【００４９】
具体的に説明すると、電源がＯＮされると、煤煙点灯ＬＥＤ２２２を、通常点灯パターンで点灯させる（Ｓ２００）。本実施形態においては、図４（ａ）に示す煤煙拡散点灯制御パターンを通常点灯パターンとして設定しているが、これに限定されるものではない。
【００５０】
次いで、マイコン部２１３は、信号読込処理、すなわち、マイク２１７及び音信号出力処理部２１６を介して出力される音信号の読込処理を行い（S２０１）、その結果、読み込みがあると（Ｓ２０２のＹＥＳ）、その音信号の解析処理を行い（Ｓ２０３）、その音信号に対応する煤煙拡散点灯制御を実行し（Ｓ２０４）、煤煙点灯ＬＥＤ２２２は煤煙点灯する。
【００５１】
ここで、音信号はマイク２１７が採音した風の音の周波数ｆであり、例えば、解析処理の結果、周波数ｆが７６（Ｈｚ）であった場合、通常点灯パターンに代えて煤煙点灯ＬＥＤ２２２を図４（ｃ）に示す煤煙拡散点灯制御に切り替えて６００（ｍｓ）の間煤煙点灯ＬＥＤ２２２を点灯させ、当該時間経過後、信号読込処理（Ｓ２０１）に戻る。このような処理を繰り返し行う。
【００５２】
以上のように、本発明のＬＥＤキャンドル１においては、フェード点灯ＬＥＤ２２１をフェード点灯制御によって点灯させ、煤煙点灯ＬＥＤ２２２を煤煙拡散点灯制御によって煤煙点灯させていることから、風がないときに炎が揺れたり、ぽんぽんと弾んだり、炎が大きくなったり小さくなったり縦揺れするといった西洋ろうそくにはない和ろうそくの炎の揺らぎを再現することが可能である。
【００５３】
また、マイク２１７によって風の音を採音し、採音した風の音に応じてフェード点灯ＬＥＤ２２１及び煤煙点灯ＬＥＤ２２２を揺らぎ点灯制御させているので、和ろうそくの炎が風で揺らいだ感じを再現することが可能である。
【００５４】
本発明のＬＥＤキャンドル１を用いれば、神社仏閣、宗教儀式、宿泊施設などのエントランスのフットライト、イルミネーションイベント等において、本物のろうそくを使用する場合に比べて安全に使用できるばかりでなく、和ろうそくの灯りを絶え間なく提供することが可能である。
【符号の説明】
【００５５】
１    ：ＬＥＤキャンドル（ＬＥＤ照明器具）
２    ：点灯部
３    ：カバー部
２１  ：回路部
２１０：電源供給部
２１１：電源スイッチ
２１２：電圧調整部
２１３：マイコン部（制御部）
２１４：増幅処理部
２１５：音センサ回路
２１６：音信号出力処理部
２１７：マイク
２２０：ＬＥＤ部
２２１：フェード点灯ＬＥＤ
２２２：煤煙点灯ＬＥＤ
【要約】
【課題】和ろうそくの灯りを再現したＬＥＤ照明器具を提供する。
【解決手段】カバー部３の内壁面の近くに３つのフェード点灯ＬＥＤ２２１，２２１，２２１を配置し、これらの中央に煤煙点灯ＬＥＤ２２２を配置し、マイコン部２１３によって、フェード点灯ＬＥＤ２２１，２２１，２２１をフェード点灯制御し、煤煙点灯ＬＥＤ２２２を煤煙拡散点灯制御するとともに、マイク２１７によって風の音を採音し、採音された風の音信号に応じて、フェード点灯ＬＥＤ２２１，２２１，２２１及び煤煙点灯ＬＥＤ２２２を揺らぎ点灯制御する。
【選択図】図１【図１】
0005743255.tif 000003
【図２】
0005743255.tif 000004
【図３】
0005743255.tif 000005
【図４】
0005743255.tif 000006
【図５】
0005743255.tif 000007
【図６】
0005743255.tif 000008